(57)【要約】【課題】魚に十分に存在感を印象づけることのできる疑似餌用釣り針を提供する。【解決手段】釣り糸を結びつける基部と魚を引っかける端部を有する掛け針１、掛け針１の基部付近に固定された錘２、疑似餌が前記掛け針に装着されるときに疑似餌の抜けを防止し、錘２又は掛け針１に固定された抜け止め針３を備え、錘２が主として前記基部付近の周囲で掛け針１と一体成形された樹脂からなり、全重量が水中での浮力よりも大きくなるような容積の閉じた空洞５が錘２に形成され、空洞５内で転動する転動体６を備えていることを特徴とする。【選択図】図５
2009142245.tif 000002
【特許請求の範囲】
【請求項１】
釣り糸を結びつける基部と魚を引っかける端部を有する掛け針、及び掛け針の基部付近に固定された錘を備える釣り針において、錘が主として前記基部付近の周囲で掛け針と一体成形された樹脂からなることを特徴とする釣り針。
【請求項２】
更に、疑似餌が前記掛け針に装着されるときに疑似餌の抜けを防止し、前記錘又は掛け針に固定された抜け止め針を備え、その抜け止め針が先端に着脱自在の尖ったキャップを有する請求項１に記載の釣り針。
【請求項３】
全重量が水中での浮力よりも大きくなるような容積の閉じた空洞が前記錘に形成されている請求項１に記載の釣り針。
【請求項４】
更に、前記空洞に収容されて空洞内で転動する転動体を備える請求項３に記載の釣り針。
【発明の詳細な説明】
【技術分野】
【０００１】
この発明は、魚釣りの際に疑似餌を付けて使用される釣り針に関する。
【背景技術】
【０００２】
従来、投げ釣りにおける疑似餌用の釣り針としては、魚を引っかける掛け針と、掛け針と一体化された鉛などの金属からなる錘とを備えるものが周知である。近年では鉛に代えて鉛よりも比重の高いタングステンを用いて沈降速度を速めたり投擲時の飛距離を向上させたりしたものが提案されている（特許文献１）。
【特許文献１】特許第３６３５４２７号
【発明の開示】
【発明が解決しようとする課題】
【０００３】
しかし、金属の錘を備えた釣り針は、所望の形状に成形することが困難であるうえ、沈降速度が速すぎて魚に存在を伝える時間が短すぎて魚の食いつきが悪い。
それ故、この発明の課題は、魚に十分に存在感を印象づけることのできる疑似餌用釣り針を提供することにある。
【課題を解決するための手段】
【０００４】
その課題を解決するために、この発明の釣り針は、
釣り糸を結びつける基部と魚を引っかける端部を有する掛け針、及び掛け針の基部付近に固定された錘を備える釣り針において、錘が主として前記基部付近の周囲で掛け針と一体成形された樹脂からなることを特徴とする。
この発明の釣り針によれば、錘が主として樹脂からなるので、成形が容易であるうえ、ゆっくりと沈降する。
【０００５】
この発明の釣り針は、前記掛け針及び錘に加えて、疑似餌が前記掛け針に装着されるときに疑似餌の抜けを防止し、前記錘又は掛け針に固定された抜け止め針を備え、その抜け止め針が先端に着脱自在の尖ったキャップを有すると好ましい。装着する疑似餌の形状、材質、サイズに応じてキャップを着脱することにより、種々の疑似餌を装着することができるからである。
全重量が水中での浮力よりも大きくなるような容積の閉じた空洞を前記錘に形成することにより、錘全体の嵩比重を当該樹脂のそれよりも低くし、一層沈降速度を遅くすることができる。更に、空洞内で転動する転動体を空洞に収容することで、沈降中に音を発生させたり振動させたりすることができる。
【発明の効果】
【０００６】
錘が樹脂からなり成形しやすいので、安価に製造できる。また、水中をゆっくりと沈降するので、魚に十分に存在感を印象づけることができる。
【発明を実施するための最良の形態】
【０００７】
−実施形態１−
図１は、第一の実施形態に係る釣り針を示す斜視図である。釣り針Ａは、掛け針１及び錘２からなる。掛け針１は、金属からなり、図略の釣り糸を結びつける環状の基部１ａと魚を引っかけるために返されて先端が尖らせられた端部１ｂを有し、基部１ａ寄りで鋭角に折り曲げられている。錘２は、硬質樹脂からなり、掛け針１と直交する方向に長軸を有する楕円球状をなし、鋭角の折り曲げ部分を包むように掛け針１と一体成形されている。基部１ａはかろうじて露出し、端部１ｂは返しを含めて十分に露出している。
【０００８】
この釣り針Ａは、錘２が樹脂からなるので、水中をゆっくりと沈降する。従って、魚に十分に存在感を印象づけることができ、食いつきをよくすることができる。尚、樹脂に少量の金属の粉末や破片を混入させて錘２の強度を向上させたり、沈降速度を少し速めてもよい。また、樹脂が生分解性を有するものであってもよく、その場合は現場で回収不能となっても環境汚染を抑制することができる。
【０００９】
−実施形態２−
図２及び図３は、第二の実施形態に係る釣り針を示す斜視図である。釣り針Ｂは、実施形態１における釣り針Ａと異なり、掛け針１及び錘２に加えて疑似餌が掛け針１に装着されるときに疑似餌の抜けを防止する抜け止め針３を備える。抜け止め針３は、全長が掛け針１のそれの１／４〜１／２程度で且つ返しも小さい。抜け止め針３は、掛け針１の基部１ａ付近と合わせられて錘２の成形と同時に固定されている。抜け止め針３の材質は、金属であってもよいが、加わる荷重が小さいので樹脂であってもよい。抜け止め針３は、更に先端に着脱自在の尖った管状の樹脂製キャップ４を有する。
【００１０】
この釣り針Ｂは、実施形態１におけると同じ作用効果を生じるうえ、抜け止め針３を有するので疑似餌がソフトルアー（ワーム）であってもしっかりと装着される。即ち、疑似餌が細い形状を有していたり、柔らかい材質からなるときは、キャップ４を外して直接抜け止め針３に装着することにより、抜け止め針３の鉤作用で抜けが防止される。また、疑似餌が大きい体積あるいは重い質量を有しているときは、キャップ４を嵌合することにより、疑似餌との接触面積が増し、より強固に疑似餌が装着される。
【００１１】
−実施形態３−
図４は、第三の実施形態に係る釣り針を示す斜視図である。釣り針Ｃは、実施形態２における釣り針Ｂと同じく掛け針１、錘２及び抜け止め針３を備える。但し、錘２には、実施形態２と異なり、各々閉じた２個の空洞５、５が形成されている。空洞５、５の容積は互いに同一であっても異なっていても良い。図示の形態では、一つの空洞５ともう一つの空洞５とが掛け針１を中心として対称位置に形成されている。いずれにしても掛け針１、錘２及び抜け止め針３を含む全重量Ｗが釣り針Ｃの水中における浮力Ｆよりも大きくなるように空洞５、５の合計容積が設定されている。このように空洞を有する釣り針Ｃは、錘２を空洞５、５を分割する断面で二分割して得られる二体とし、それらを個別に成形した後、合わせて接着することにより製造可能である。
【００１２】
この釣り針Ｃは、実施形態１及び２におけるものに比べて嵩比重が低いので、一層沈降速度を遅くすることができる。空洞の数や合計容積の最適値は、目的とする水深に応じて異なるが、種々の形態の釣り針を現場で準備しておいて適宜選択すればよい。
【００１３】
−実施形態４−
図５は、第四の実施形態に係る釣り針を示す斜視図である。釣り針Ｄは、実施形態３における釣り針Ｃと同じく掛け針１、錘２及び抜け止め針３を備え、錘２に２個の空洞５、５が形成されている。そして、各空洞５内に金属、ガラス、樹脂など錘２と同等以上の硬度を有する１個又は複数個の球状の転動体６が収容されている。
【００１４】
この釣り針Ｄは、水中で転動体６が空洞５を転動することにより、錘２が音を発生する。従って、好奇心旺盛な魚の注意を喚起することができる。
【００１５】
−実施形態５−
図６は、第五の実施形態に係る釣り針を示す斜視図である。釣り針Ｅは、実施形態２における釣り針Ｂと同じく掛け針１、錘２及び抜け止め針３を備える。但し、錘２には、実施形態２と異なり、閉じた空洞７が形成されている。空洞７は、掛け針１と直交する方向に長軸を有する楕円球状をなし、掛け針１と干渉しない位置に形成されている。そして、空洞７内には、金属、ガラスなど錘２よりも比重の高い材質からなる球状の転動体８が収容されている。
【００１６】
この釣り針Ｅは、水中で転動体８が空洞７を転動することにより、錘２が振動し、音を発生する。従って、好奇心旺盛な魚の注意を一層喚起することができる。振幅は、空洞７の長軸が長いと大きく、短いと小さい。
【図面の簡単な説明】
【００１７】
【図１】実施形態１に係る釣り針を示す斜視図である。
【図２】実施形態２に係る釣り針を示す分解斜視図である。
【図３】実施形態２に係る釣り針を示す斜視図である。
【図４】実施形態３に係る釣り針を示す斜視図である。
【図５】実施形態４に係る釣り針を示す斜視図である。
【図６】実施形態５に係る釣り針を示す斜視図である。
【符号の説明】
【００１８】
Ａ、Ｂ、Ｃ、Ｄ、Ｅ  釣り針
１  掛け針
２  錘
３  抜け止め針
４  キャップ
５、７  空洞
６、８  転動体
【図１】
2009142245.tif 000003
【図２】
2009142245.tif 000004
【図３】
2009142245.tif 000005
【図４】
2009142245.tif 000006
【図５】
2009142245.tif 000007
【図６】
2009142245.tif 000008